(57)【要約】【課題】営巣防止網を鉄道軌道の上方に架設された梁に取り付ける作業の労力を軽減する営巣防止網支持具を提供する。【解決手段】営巣防止網支持具１は、車両軌道の上方を幅方向に跨いで支持されたフレーム構造の梁の内側に営巣防止網を設けるためのものであり、営巣防止網の内面の一端側から他端側に亘って接触して延びて該営巣防止網を支持する支持本体部３を備える。支持本体部３は、営巣防止網を支持した状態で梁の内側上部に梁の延びる方向に沿って取り付けられる。【選択図】  図１
2012161197.tif 000002
【特許請求の範囲】
【請求項１】
フレーム構造の梁の内側に営巣防止網を設けるための営巣防止網支持具であって、
前記営巣防止網の内面の一端側から他端側に亘って接触して延びて該営巣防止網を支持する支持本体部を備え、
前記支持本体部は、前記営巣防止網を支持した状態で前記梁の内側上部に該梁の延びる方向に沿って取り付けられることを特徴とする営巣防止網支持具。
【請求項２】
前記支持本体部は、対向配置される第１板部材及び第２板部材を備え、
前記第１板部材の一方側の面に凸部が設けられ、
前記第２板部材に前記凸部を挿入可能な係合孔部が設けられ、
前記凸部の基部及び前記係合孔部の開口端部のいずれか一方の周囲に段部が突出して設けられ、
前記段部は、前記凸部の前記係合孔部への挿入時に前記段部の先端部が対向する前記第１板部材及び前記第２板部材のいずれか他方の面に接触して、前記第１板部材及び前記第２板部材間に前記営巣防止網を挟持可能な隙間を形成する高さを有するとともに、前記営巣防止網の網目に挿入可能な大きさを有して、前記営巣防止網を前記支持本体部に係止することを特徴とする請求項１に記載の営巣防止網支持具。
【請求項３】
前記第１板部材及び前記第２板部材は、いずれか一方に係止突起部が設けられ、いずれか他方に前記第１板部材及び前記第２板部材が対向配置された状態で前記係止突起部を係止する係合凹部が設けられていることを特徴とする請求項２に記載の営巣防止網支持具。
【請求項４】
前記第１板部材の長手方向の一端部に、該第１板部材の内側及び一端側が開口する第１凹部が設けられ、
前記第２板部材の長手方向の一端部に、該第２板部材の内側及び一端側が開口する第２凹部が設けられ、
前記第１板部材及び前記第２板部材の内側同士を対向配置すると、前記第１凹部及び前記第２凹部によって囲まれて一端側が開口して前記支持本体部の他端部を挿入可能な係合凹部が形成されることを特徴とする請求項２又は３に記載の営巣防止網支持具。
【請求項５】
前記係合凹部は、前記支持本体部の長手方向に直交する幅方向の寸法が前記他の支持本体部の他端部の幅方向の寸法よりも大きく形成され、
前記係合凹部に挿入された前記他の支持本体部の他端部を支点として、前記他の支持本体部の挿入側が前記係合凹部の幅方向に移動自在であることを特徴とする請求項４に記載の営巣防止網支持具。
【発明の詳細な説明】
【技術分野】
【０００１】
本発明は、カラス等の比較的に大型の鳥類が、車両軌道の上方を幅方向に跨いで支持されたフレーム構造の梁に巣作り材料を持ち込んで営巣するのを防止するための網を梁内に設けるための営巣防止網支持具に関する。
【背景技術】
【０００２】
鉄道軌道の上方を幅方向に跨いで架線を支持するフレーム構造の梁では、例年春先にカラス等の比較的大型の鳥類が巣を作る営巣行為がしばしば行われる。この営巣行為は、例えば金属製ハンガーや針金や侵入防止網等の金属物又はツタやカズラ等の長尺植物の枝を梁内に持ち込んで巣作りが行われる。梁に吊下されている架線は絶縁被覆の無い裸線であるために、金属製の巣作り用材料が架線から垂れ下がって地面と接触すると地絡事故が発生して輸送障害が生じる虞がある。
【０００３】
そこで、特許文献１に記載されているように、梁内に三角柱構造体を梁の長手方向に連続して設け、この三角柱構造体の傾斜面と底面に営巣防止網（文献では進入防止網）を取り付けて、梁内へのカラス等の鳥類の進入を防止している。
【０００４】
しかしながら、この梁は、梁内に設ける三角柱構造体に営巣防止網を取り付けて構成されているので、構造が複雑であり、製造コストが高くなる。
【０００５】
そこで、矩形状に形成された営巣防止網を梁の上面、側面に取り付けて、カラス等の鳥類の進入を防止する方法が提案されている。この方法は、矩形状に形成された営巣防止網を丸めて外径を小さくしたものを、梁の長手方向の一方側端部から挿入し、梁内で営巣防止網を広げ、枠の上面、側面に営巣防止網を紐部材で緊縛して取り付ける。
【先行技術文献】
【特許文献】
【０００６】
【特許文献１】特開２００６−２３２２６１号公報
【発明の開示】
【発明が解決しようとする課題】
【０００７】
しかしながら、従来の営巣防止網を梁内に緊縛して取り付ける方法では、営巣防止網自体が堅い材料で形成されたものを使用しているため、営巣防止網を細く丸める作業が大変であり、また細く丸めた営巣防止網を梁内で広げる作業も大変であった。このため、営巣防止網を梁に取り付ける作業の労力を軽減するために治具の開発が望まれていた。
【０００８】
本発明は、このような要望に応えるためになされたものであり、営巣防止網を梁に取り付ける作業の労力を軽減する営巣防止網支持具を提供することを目的とする。
【課題を解決するための手段】
【０００９】
このような課題を解決するため、本発明は、フレーム構造の梁の内側に営巣防止網を設けるための営巣防止網支持具であって、営巣防止網の内面の一端側から他端側に亘って接触して延びて該営巣防止網を支持する支持本体部を備え、支持本体部は、営巣防止網を支持した状態で梁の内側上部に該梁の延びる方向に沿って取り付けられることを特徴とする（請求項１）。
【００１０】
これにより、営巣防止網は、梁内で支持本体部を中心として支持本体部の両側の営巣防止網が下方へ延びた状態にすることができる。このため、梁内に挿入された営巣防止網を梁内で広げる作業の労力を軽減することができる。
【００１１】
本発明の「営巣防止網の内面の一端側から他端側」とは、外側形状が所定形状に形成された営巣防止網の内面のうちの一端側から他端側をいい、具体的には、営巣防止網の幅方向中央部の内面の一端側から他端側をいう。
【００１２】
本発明の「前記支持本体部は、前記営巣防止網を支持した状態で前記梁の内側上部に該梁の延びる方向に沿って取り付けられる」とは、具体的には、支持本体部が梁の長手方向に延びた状態で梁の内側上部に取り付けられることをいう。これにより、支持本体部に支持された営巣防止網を梁内で広げた際に梁の側面に営巣防止網を沿わせることが容易になる。
【００１３】
営巣防止網は、フレーム構造の梁の内側に配置されて梁の上面、側面を覆い、梁内にカラス等の鳥類が営巣するのを防止するものであり、具体的には、営巣防止網は、営巣防止網を容易に丸めることができ、また丸めた営巣防止網が容易に広がるように弾性を有するものが好ましい。
【００１４】
本発明の支持本体部は、対向配置される第１板部材及び第２板部材を備え、第１板部材の一方側の面に凸部が設けられ、第２板部材に凸部を挿入可能な係合孔部が設けられ、凸部の基部及び係合孔部の開口端部のいずれか一方の周囲に段部が突出して設けられ、段部は、凸部の係合孔部への挿入時に段部の先端部が対向する第１板部材及び第２板部材のいずれか他方の面に接触して、第１板部材及び第２板部材間に営巣防止網を挟持可能な隙間を形成する高さを有するとともに、営巣防止網の網目に挿入可能な大きさを有して、営巣防止網を支持本体部に係止することを特徴とする（請求項２）。
【００１５】
これにより、対向配置された第１板部材と第２板部材との間に営巣防止網を配置し、凸部が営巣防止網の網目に挿入されるように凸部を係合孔部に挿入すると、段部の先端部が対向する第１板部材及び第２板部材のいずれか他方の面に接触して、第１板部材及び第２板部材間に形成された隙間に営巣防止網を挟持することができるとともに、段部が営巣防止網の網目に挿入されて営巣防止網を支持本体部に係止する。このため、営巣防止網を支持本体部に確実に固定することができる。
【００１６】
段部は、営巣防止網の網目と相似する形状が好ましく、具体的には、網目が矩形状であれば段部の外形も矩形状に形成される。
【００１７】
また本発明の第１板部材及び第２板部材は、いずれか一方に係止突起部が設けられ、いずれか他方に第１板部材及び第２板部材が対向配置された状態で係止突起部を係止する係合凹部（実施の形態における係合孔部４２）が設けられていることを特徴とする（請求項３）。
【００１８】
これにより、第１板部材及び第２板部材を対向配置した状態で、これらの部材を一体的に結合した状態にすることができる。係止突起部とこれに対応する係合凹部は、一組に限るものではく、複数の組をこれらの部材に設けてもよい。
【００１９】
また本発明は、第１板部材の長手方向の一端部に、該第１板部材の内側及び一端側が開口する第１凹部が設けられ、第２板部材の長手方向の一端部に、該第２板部材の内側及び一端側が開口する第２凹部が設けられ、第１板部材及び第２板部材の内側同士を対向配置すると、第１凹部及び第２凹部によって囲まれて一端側が開口して支持本体部の他端部を挿入可能な係合凹部が形成されることを特徴とする（請求項４）。
【００２０】
これにより、係合凹部に支持本体部の他端部を挿入することで、複数の支持本体部を直線状に連結することができる。このため、梁の長手方向の長さに応じて支持本体部を直線状に連結することで、営巣防止網を梁内に装着したい長さに応じて営巣防止網を梁内に移動させることができる。
【００２１】
さらに本発明の係合凹部は、支持本体部の長手方向に直交する幅方向の寸法が他の支持本体部の他端部の幅方向の寸法よりも大きく形成され、係合凹部に挿入された他の支持本体部の他端部を支点として、他の支持本体部の挿入側が係合凹部の幅方向に移動自在であることを特徴とする（請求項５）。
【００２２】
これにより、丸めた営巣防止網を梁の長手方向の一端部から梁内に挿入する際に、営巣防止網の端部が梁内で引っ掛かっても、支持本体部に連結された他の支持本体部の方向を変えて営巣防止網の挿入方向に他の支持本体部を押圧すると、営巣防止網の引っかかりが解除されてより梁の内部に営巣防止網を挿入することができる。このため、営巣防止網を梁内に挿入する作業の作業性を向上させることができる。
【発明の効果】
【００２３】
本発明によれば、営巣防止網支持具は、営巣防止網の内面の一端側から他端側に亘って接触して延びて該営巣防止網を支持する支持本体部を備え、支持本体部は、営巣防止網を支持した状態で梁の内側上部に該梁の延びる方向に沿って取り付けられることで、梁内で支持本体部を中心として支持本体部の両側の営巣防止網を下方へ延ばした状態にすることができる。このため、梁内に挿入された営巣防止網を梁内で広げる作業が容易になり、営巣防止網を梁に取り付ける作業の労力を軽減する営巣防止網支持具を提供することができる。
【図面の簡単な説明】
【００２４】
【図１】本発明の一実施形態に係る営巣防止網支持具を示し、同図（ａ）は営巣防止網支持具の裏面側矢視の斜視図であり、同図（ｂ）は営巣防止網支持具の表面側矢視の斜視図である。
【図２】鉄道軌道の上方に架設され営巣防止網支持具を用いて営巣防止網が装着された梁の説明図を示す。
【図３】広げた状態の営巣防止網の平面図を示す。
【図４】営巣防止網支持具を構成する第１板部材を示し、同図（ａ）は第１板部材の内面側の斜視図であり、同図（ｂ）は第１板部材の外面側の斜視図である。
【図５】第１板部材を示し、同図（ａ）は第１板部材の幅方向一方側の側面図であり、同図（ｂ）は第１板部材の平面図であり、同図（ｃ）は第１板部材の幅方向他方側の側面図であり、同図（ｄ）は第１板部材の長手方向一方側の側面図であり、同図（ｅ）は第１板部材の長手方向他方側の側面図である。
【図６】第１板部材の裏面図を示す。
【図７】第２板部材を示し、同図（ａ）は第２板部材の内面側矢視の斜視図であり、同図（ｂ）は第２板部材の外面側矢視の斜視図である。
【図８】第２板部材を示し、同図（ａ）は第２板部材の幅方向一方側の側面図であり、同図（ｂ）は第２板部材の平面図であり、同図（ｃ）は第２板部材の幅方向他方側の側面図であり、同図（ｄ）は第２板部材の長手方向一方側の側面図であり、同図（ｅ）は第２板部材の長手方向他方側の側面図である。
【図９】第２板部材の裏面図を示す。
【図１０】第１板部材と第２板部材が結合した営巣防止網支持具を示し、同図（ａ）は営巣防止網支持具の幅方向一方側の側面図であり、同図（ｂ）は営巣防止網支持具の平面図であり、同図（ｃ）は営巣防止網支持具の幅方向他方側の側面図であり、同図（ｄ）は営巣防止網支持具の長手方向一方側の側面図であり、同図（ｅ）は営巣防止網支持具の長手方向他方側の側面図である。
【図１１】営巣防止網支持具の裏面図である。
【図１２】営巣防止網支持具が装着された営巣防止網の斜視図を示す。
【図１３】営巣防止網支持具が装着された営巣防止網を丸めて縛った状態の営巣防止網の斜視図である。
【図１４】営巣防止網支持具が装着されて丸められた営巣防止網を梁の内側上部に固定するための説明図である。
【図１５】梁の内側上部に固定された営巣防止網の斜視図である。
【図１６】梁の内側上部に固定されて拘束が解かれた状態の営巣防止網の斜視図である。
【図１７】梁の内側上部に固定されて拘束が解かれた営巣防止網の内部を説明するための説明図である。
【図１８】梁の内側上部に固定されて拘束が解かれた営巣防止網が梁の側部の斜材に固定するための説明図である。
【発明を実施するための最良の形態】
【００２５】
以下、本発明に係わる営巣防止網支持具の最良の実施の形態を図１から図１８に基づいて説明する。先ず、営巣防止網支持具を説明する前に、梁及び梁に装着される営巣防止網について説明する。
【００２６】
梁７０は、図２に示すように、鉄道軌道Ｌの上方で架線Ｗを支持するためのものであり、鉄道軌道Ｌの上方を幅方向に跨ぐようにして、鉄道軌道Ｌの幅方向の両側に立設された柱Ｃの上部間に架け渡されて固定されている。
【００２７】
梁７０は、側面視において四角形の交点に配設される互いに平行な鋼鉄製の弦材７０ａと、これらの弦材７０ａに対してトラス状に架設される鋼鉄製の斜材７０ｂとを有して、フレーム構造になっている。このため、梁７０の内部には梁７０の長手方向に沿った空間部７０ｃが形成され、この空間部７０ｃにカラス等の鳥類が営巣する場合がある。このため、梁７０に後述する営巣防止網が装着されて、鳥類の進入を防止している。
【００２８】
営巣防止網８０は、図３に示すように、広げた状態で長方形状に形成され、正方形状の網目８１が縦方向及び横方向に一定の間隔を有して形成されている。営巣防止網８０は、合成樹脂材料（例えば、低密度ポリエチレン）で形成されて弾性変形可能である。営巣防止網８０は広げた状態が弾性変形していない元の状態であり、広げた状態から容易に丸めることができる弾性を有している。このため、丸めた状態の営巣防止網８０の拘束を解くと、営巣防止網８０は広がって元の形状に戻る。この営巣防止網８０は営巣防止網支持具１に支持されて、営巣防止網支持具１を介して梁７０に設けられる。
【００２９】
営巣防止網支持具１は、図１（ａ）及び図１（ｂ）に示すように、板状に形成された支持本体部３を備える。支持本体部３は、対向配置されて結合且つ分離可能な第１板部材１０及び第２板部材３０を有してなる。営巣防止網支持具１を構成する支持本体部３は、合成樹脂材料（例えば、ポリカーボネート）で形成されている。
【００３０】
第１板部材１０は、図４（ａ）に示すように、板状に延びる第１支持本体部１１を有する。第１支持本体部１１は側面視において長方形状に形成され、その内面には第１支持本体部１１の長手方向に所定距離を有して配置された凸部１３が複数設けられている。
【００３１】
凸部１３は、その先端部に第２板部材３０を係止するための係止突起１４ａが設けられた第１凸部１４と、係止突起を備えない第２凸部１７とを有する。第１凸部１４と第２凸部１７は、第１支持本体部１１の一端側から他端側に交互に配置されている。なお、これらの凸部の配置は、交互に限るものではなく、少なくとも第１凸部１４が第１支持本体部１１に設けられていれば、配置の順序は任意でよい。
【００３２】
第１凸部１４は、図５（ａ）、図５（ｂ）、図５（ｃ）、図５（ｄ）、図５（ｅ）、図６に示すように、先端部に外側に突出する係止突起１４ａを備える突出片１４ｂを正方形状に配置して構成される。突出片１４ｂはその基部を支点として先端側が撓み変形可能であり、後述するが第２板部材３０に設けられた係合孔部３３に係止される。第１凸部１４の高さ寸法は、第１凸部１４が係合孔部３３に挿入されて第１凸部１４の先端部が係合孔部３３から突出して係止突起１４ａが係合孔部３３の端部に係止可能な長さを有している。このため、第１凸部１４を係合孔部３３に挿入すると、係止突起１４ａを係合孔部３３に係止させることができる。
【００３３】
第２凸部１７は、第１凸部１４と略同じ高さ寸法を有するとともに、外形が第１凸部１４と略同じ寸法を有して正方形状に形成されている。第２凸部１７の内部にはこの突出方向に貫通する矩形状の貫通孔１７ａが形成されている。
【００３４】
第１板部材１０の長手方向の一端部には、第１板部材１０の内面側及び一端側が開口する矩形状の第１凹部１９が形成されている。第１凹部１９は、第１板部材１０の一端部の幅方向両端部から第１板部材１０の長手方向に平行に延びる一対の側板部２０と、一対の側板部２０の外側端部間に繋がる底板部２１と、第１板部材１０の一端側の端面１１ａとで囲まれて形成されている。この第１凹部１９は、後述する第２板部材３０に設けられる第２凹部３９（図８（ｂ）参照）と対向配置される。
【００３５】
第１凹部１９の一対の側板部２０には、側板部２０の高さ方向に突出する突出片２２が設けられ、この突出片２２の先端部には内側に突出する係止突起部２２ａが設けられている。係止突起部２２ａは、後述する第２板部材３０の第２凹部に設けられた係合孔部４２（図８（ａ）参照）に係止される。
【００３６】
このように構成された第１板部材１０と対向配置される第２板部材３０は、図７（ａ）、図７（ｂ）に示すように、板状に延びる第２支持本体部３１を有する。第２支持本体部３１は側面視において長方形状に形成され、その内面には第２支持本体部３１の長手方向に所定距離を有して複数の係合孔部３３が設けられている。
【００３７】
係合孔部３３は、第１凸部１４及び第２凸部１７（図４（ａ）参照）が挿入可能に矩形状に形成されている。係合孔部３３の第２板部材内面側の開口端部の周囲には、図８（ａ）、図８（ｂ）、図８（ｃ）、図８（ｄ）、図８（ｅ）、図９に示すように、開口端部に沿った矩形状の段部３４が突出して設けられている。段部３４は、第１板部材１０に設けられた第１凸部１４及び第２凸部１７（図４（ａ）参照）の係合孔部３３への挿入時に、段部３４の先端部が対向する第１支持本体部１１の内面に接触して、第１支持本体部１１及び第２支持本体部３１間に営巣防止網８０を挟持可能な隙間３７（図１０（ａ）参照）を形成する高さを有するとともに、営巣防止網８０の網目８１（図３参照）に挿入可能な大きさを有している。
【００３８】
第２板部材３０の長手方向の一端部には、第２板部材３０の内面側及び一端側が開口する矩形状の第２凹部３９が形成されている。第２凹部３９は、第２板部材３０の一端部の幅方向両端部から第２板部材３０の長手方向に平行に延びる一対の側板部４０と、一対の側板部４０の外側端部間に繋がる底板部４１と、第２板部材３０の一端側の端３１ａとによって囲まれて形成されている。この第２凹部３９は、前述した第１板部材１０に設けられた第１凹部１９と対向配置されると、他の支持本体部の他端部（挿入側）を挿入可能な係合凹部４を形成する（図１（ａ）参照）。
【００３９】
一対の側板部４０の基部側には、第１板部材１０の係止突起部２２ａを係止する係合孔部４２が設けられている。なお、前述した実施例では、係止突起部２２ａが第１板部材１０の側板部２０に設けられ、係合孔部４２が第２板部材３０の側板部４０に設けられた場合を示したが、係止突起部２２ａが第２板部材３０の側板部４０に設けられ、係合孔部４２が第１板部材１０の側板部２０に設けられてもよい。
【００４０】
このように構成された第１板部材１０及び第２板部材３０の内面同士を対向配置して両板部材を接近させると、図１０（ａ）、図１０（ｂ）、図１０（ｃ）、図１０（ｄ）、図１０（ｅ）、図１１に示すように、第１凸部１４及び第２凸部１７が第２板部材３０の対応する係合孔部３３内に挿入されて、第１凸部１４の係止突起１４ａが係合孔部３３に係止され、また一対の突出片１４ｂの係止突起１４ａが係合孔部４２に係止されて、第１板部材１０及び第２板部材３０が一体的に結合されて、営巣防止網支持具１が完成する。
【００４１】
次に、本願発明の営巣防止網支持具１を使用して鉄道軌道Ｌ（図２参照）の上方に架設された梁７０内に営巣防止網８０を取り付ける作業方法を説明する。先ず、図７（ａ）及び図１２に示すように、営巣防止網支持具１の第２板部材３０の段部３４が上方へ向くように、第２板部材３０を地面上に置き、この第２板部材３０の一端側に設けられた第２凹部３９に、他の第２板部材３０の他端部（挿入側）を挿入して、複数の第２板部材３０を一本の棒状に並べる。
【００４２】
並べられた複数の第２板部材３０上に営巣防止網８０を被せる。営巣防止網８０を複数の第２板部材３０上に被せる際に、棒状に並べられた複数の第２板部材３０が営巣防止網８０の幅方向中間部の一端から他端側に向けって延びるように、営巣防止網８０を複数の第２板部材３０上に被せるとともに、営巣防止網８０の網目８１内に段部３４を挿入する。
【００４３】
そして、第２板部材３０の上方から第１板部材１０の内面が第２板部材３０の内面に対向するように配置し、第１板部材１０を第２板部材３０側に接近させ、第１板部材１０の第１凸部１４及び第２凸部１７を第２板部材３０の係合孔部３３に挿入して、第１凸部１４を係合孔部３３に係止させるとともに、突出片１４ｂの係止突起１４ａを第２板部材３０の係合孔部４２に係止させる。従って、第１板部材１０と第２板部材３０とが一体的に結合されるとともに、これらの板部材間に営巣防止網８０が挟持される。また営巣防止網８０の網目８１に段部３４が挿入された状態で第１板部材１０と第２板部材３０とが一体的に結合されるので、営巣防止網支持具１に対して営巣防止網８０を固定した状態で取り付けることができる。
【００４４】
次に、図１３に示すように、棒状に繋がる営巣防止網支持具１を境にして一方側に延びる営巣防止網８０と他方側に延びる営巣防止網８０のそれぞれを営巣防止網支持具１側に向かって丸めて、紐部材５０で営巣防止網８０の両側を緊縛する。
【００４５】
そして、図１４、図１５に示すように、丸められて紐部材５０で緊縛された営巣防止網８０を梁７０の内側上部に梁７０の長手方向に沿って配置し（図１５参照）、営巣防止網支持具１を梁７０の上部に設けられ斜材７０ｂに紐部材５１で緊縛する。その結果、丸められた営巣防止網８０が梁７０の上部内側に固定される。
【００４６】
なお、丸められた営巣防止網８０を梁７０内に配置する場合には、営巣防止網８０を梁７０の長手方向端部の開口から挿入する。営巣防止網８０の挿入時には、作業者は営巣防止網支持具１を把持しながら移動させて営巣防止網支持具１を梁７０内に挿入する。営巣防止網８０の挿入時に、営巣防止網８０の挿入方向先端部が梁７０の斜材７０ｂ等に接触して営巣防止網８０の移動が困難になると、把持している営巣防止網支持具１の先端側が梁７０の内側に移動するように、営巣防止網支持具１を挿入方向に対して左右方向に押す。すると営巣防止網支持具１はこれに繋がる他の営巣防止網支持具に対して回動して、営巣防止網支持具１の先端側が梁７０の内側に移動する。このため、移動した営巣防止網支持具１を把持しながら営巣防止網支持具１の延びる方向に押すと、営巣防止網８０の引っ掛かりが解かれて営巣防止網８０を梁７０内に移動させることができる。
【００４７】
次に、図１６、図１７に示すように、丸められた営巣防止網８０を緊縛する紐部材５０（図１３参照）を解くと、丸められた営巣防止網８０は元の形状に戻ろうとして、梁７０内の下方へ延びる。下方へ延びる営巣防止網８０は梁７０の側面側に設けられた斜材（図１８参照）に沿って下方へ延び、営巣防止網８０の先端側は梁７０の底面側に設けられた斜材７０ｂ上で内側に湾曲した状態で斜材７０ｂを覆う。
【００４８】
そして、図１８に示すように、梁７０の側面側及び底面側に設けられた斜材７０ｂに営巣防止網８０を紐部材５１で緊縛して、営巣防止網８０の梁７０への取付作業を終了する。
【００４９】
このように、営巣防止網支持具１を介して営巣防止網８０を梁７０に取り付けるので、経年変化や列車振動により営巣防止網８０がすり切れる事態を防止することができる。また、営巣防止網８０は、梁７０の上部に取り付けた状態で営巣防止網８０を拘束する紐部材５０の緊張を解くと、自然に広がって梁７０内部の側面や底面を覆う。このため、営巣防止網８０を梁７０内で広げる作業が容易となり、営巣防止網８０を梁７０内部に装着する作業の労力を軽減することができ、営巣防止網８０の装着作業の作業性を向上させることができる。
【符号の説明】
【００５０】
１  営巣防止網支持具
３  支持本体部
４  係合凹部
１０  第１板部材
１３  凸部
１９  第１凹部
２２ａ  係止突起部
３０  第２板部材
３３  係合孔部
３４  段部
３７  隙間
３９  第２凹部
４２  係合孔部（係合凹部）
７０  梁
８０  営巣防止網
８１  網目
【図１】
2012161197.tif 000003
【図２】
2012161197.tif 000004
【図３】
2012161197.tif 000005
【図４】
2012161197.tif 000006
【図５】
2012161197.tif 000007
【図６】
2012161197.tif 000008
【図７】
2012161197.tif 000009
【図８】
2012161197.tif 000010
【図９】
2012161197.tif 000011
【図１０】
2012161197.tif 000012
【図１１】
2012161197.tif 000013
【図１２】
2012161197.tif 000014
【図１３】
2012161197.tif 000015
【図１４】
2012161197.tif 000016
【図１５】
2012161197.tif 000017
【図１６】
2012161197.tif 000018
【図１７】
2012161197.tif 000019
【図１８】
2012161197.tif 000020